(57)【要約】【課題】スピーカーの音量が短い周期で変化しても、スピーカーの音量変化に追随して発光素子の発光の強さが変化するようにする。【解決手段】スピーカー出力表示装置５は、発光素子６０と、制御信号ｉを入力して発光素子６０のオン、オフと発光の強さとを制御する駆動トランジスタＴＲ２と、スピーカー４０に入力される信号ｃを取り出して全波整流する全波整流回路５０と、充電のためのコンデンサＣ３と放電のための抵抗Ｒ５とを含み全波整流回路５０の全波整流出力をコンデンサＣ３に与えて充電と抵抗Ｒ５による放電とを繰り返す充放電回路６１と、コンデンサＣ３の残留電荷の大きさに応じた制御信号ｉを生成して駆動トランジスタＴＲ２へ入力する信号入力回路６２とを含む。充放電回路６１は、全波整流出力の信号レベルが所定の値を超えるとき残留電荷が生じるように回路定数が設定される。【選択図】図５
2009100045.tif 000002
【特許請求の範囲】
【請求項１】
スピーカーが出力する音の変化の状態を発光の強弱で表示するためのスピーカー出力表示装置であって、
発光素子と、制御信号を入力して前記発光素子のオン、オフと発光の強さとを制御する駆動トランジスタと、スピーカーに入力される信号を取り出して全波整流する全波整流回路と、充電のためのコンデンサと放電のための抵抗とを含み全波整流回路の全波整流出力をコンデンサに与えて充電と抵抗による放電とを繰り返す充放電回路と、前記コンデンサの残留電荷の大きさに応じた制御信号を生成して前記駆動トランジスタへ入力する信号入力回路とを含み、前記充放電回路は、全波整流出力の信号レベルが所定の値を超えるときに残留電荷が生じるように回路定数が設定されて成るスピーカー出力表示装置。
【請求項２】
前記スピーカーは、アンプ装置を構成するケースに一体に組み込まれており、前記ケースの外面に携帯電話とオーディオ機器とが選択的に接続される外部接続端子が設けられるとともに、ケース内に前記外部接続端子より取り込まれる携帯電話の音声受信信号またはオーディオ機器のオーディオ信号を増幅してスピーカーへ出力する増幅回路が組み込まれている請求項１に記載されたスピーカー出力表示装置。
【発明の詳細な説明】
【技術分野】
【０００１】
この発明は、例えば携帯電話のハンズフリー装置のようなスピーカーを有する装置において、スピーカーが出力する音の変化に応じて発光素子が強く発光したり弱く発光したりしてスピーカーの出力状態を視覚的に認識し得るようにしたスピーカー出力表示装置に関する。
【背景技術】
【０００２】
従来、オーディオ機器において、スピーカーボックスの前面にマークを象った発光体を設け、スピーカーの音量変化に応じて発光体を強く発光させたり弱く発光させたりしてイルミネーション機能を付与したスピーカー装置が提案されている（例えば特許文献１）。
【０００３】
【特許文献１】実開昭４９−４０４２９号公報
【０００４】
この特許文献１に記載されたスピーカー装置は、図７に示すように、増幅回路１００よりスピーカー１０１に入力されるオーディオ信号を抵抗１０２によって取り出し、ダイオード１０３で半波整流しかつコンデンサ１０４で平滑した後、その平滑された直流電圧により抵抗１０５を通して発光体１０７に通電して発光体１０７を構成する複数の発光素子１０６を発光動作させるものである。なお、図中、電池１０８は増幅回路１００からオーディオ信号が出力されないときでも発光体１０７に通電して各発光素子１０６をわずかに発光させるためのものである。
【０００５】
上記したスピーカー装置において、増幅回路１００からスピーカー１０１にオーディオ信号が入力されると、各発光素子１０６の発光の強さが増し、さらに、音量が増すと、発光の強さが一層増大する。このように、スピーカー１０１の音量に応じて発光体１０７が強く発光したり弱く発光したりすることでイルミネーション効果が得られる。
【発明の開示】
【発明が解決しようとする課題】
【０００６】
しかしながら、上記した構成のスピーカー装置では、抵抗１０２によって取り出したオーディオ信号をダイオード１０３で半波整流しかつコンデンサ１０９で平滑した後、その平滑された直流電圧によって各発光素子１０６を発光動作させるので、オーディオ信号の信号レベルの変化に対して、コンデンサ１０４の平滑出力の変化は緩慢であり、各発光素子の発光の強さは緩やかに変化する。従って、スピーカーの音量が短い周期で変化する場合、その音量変化に追随して各発光素子が強く発光したり弱く発光したりすることはなく、イルミネーション効果に欠けるという問題がある。
【０００７】
この発明は、上記した問題に着目してなされたもので、スピーカーの音量が短い周期で変化しても、スピーカーの音量変化に追随して発光素子の発光の強さが変化するように構成することにより、イルミネーション効果に優れたスピーカー出力表示装置を提供することを目的とする。
【課題を解決するための手段】
【０００８】
この発明によるスピーカー出力表示装置は、スピーカーが出力する音の変化の状態を発光の強弱で表示するためのものであって、発光素子と、制御信号を入力して前記発光素子のオン、オフと発光の強さとを制御する駆動トランジスタと、スピーカーに入力される信号を取り出して全波整流する全波整流回路と、充電のためのコンデンサと放電のための抵抗とを含み全波整流回路の全波整流出力をコンデンサに与えて充電と抵抗による放電とを繰り返す充放電回路と、前記コンデンサの残留電荷の大きさに応じた制御信号を生成して前記駆動トランジスタへ入力する信号入力回路とを含んでいる。前記充放電回路は、全波整流出力の信号レベルが所定の値を超えるときに残留電荷が生じるように回路定数が設定されて成るものである。
【０００９】
上記した構成のスピーカー出力表示装置では、スピーカーに入力される信号は全波整流回路に取り出されて全波整流される。全波整流回路で得られる脈流の直流電圧が充放電回路のコンデンサに印加されると、コンデンサが充電されるとともに、充電によりコンデンサに蓄えられた電荷が抵抗を流れて放電される。スピーカーに入力される信号の信号レベルが小さいとき、すなわち、音量が小さいときは、充放電回路での放電が十分に行われる結果、コンデンサに残留電荷が生じず制御信号はゼロとなり、駆動トランジスタはオンせず、発光素子は発光しない。
スピーカーに入力される信号の信号レベルが大きくなって音量が増すと、充放電回路での放電が不十分となってコンデンサに残留電荷が生じ、コンデンサの残留電荷の大きさに応じた制御信号が生成される。この制御信号の入力によって駆動トランジスタがオンして発光素子が発光するとともに、制御信号の変化に応じて発光素子の発光の強さも変化し、音量の変化に追随した発光動作となる。
【００１０】
この発明の上記した構成において、前記スピーカーは特に限定されるものではなく、例えば、携帯電話のハンズフリー装置のスピーカーであってもよく、オーディオ機器のスピーカーであってもよい。
【００１１】
この発明の好ましい実施態様においては、前記スピーカーは、アンプ装置を構成するケースに一体に組み込まれており、前記ケースの外面に携帯電話とオーディオ機器とが選択的に接続される外部接続端子が設けられるとともに、ケース内に前記外部接続端子より取り込まれる携帯電話の音声受信信号またはオーディオ機器のオーディオ信号を増幅してスピーカーへ出力する増幅回路が組み込まれている。
ここでの「オーディオ機器」とは、例えば、スピーカーを内蔵していないイヤホン専用のデジタルプレイヤーや小出力のスピーカーを内蔵するミニラジオのようなオーディオ機器を指している。
この実施態様によると、外部接続端子に携帯電話を接続すれば、携帯電話のハンズフリー装置を構成でき、一方、外部接続端子に例えばイヤホン専用のデジタルプレイヤーを接続すれば、音が外部に取り出せる。
【発明の効果】
【００１２】
この発明によれば、スピーカーが出力する音の強弱に応じて発光素子が強く発光したり弱く発光したりするので、スピーカーの音量が短い周期で変化しても、スピーカーの音量変化に追随して発光素子の発光の強さが変化するもので、イルミネーション効果が大幅に高められる。
また、音量が小さいときは発光素子が発光しないので、携帯電話のハンズフリー装置では、発光の有無によって受信状態や音量の適否を判断でき、また、オーディオ機器では、発光の有無によって同調の状態を判断できる。
【発明を実施するための最良の形態】
【００１３】
図１は、この発明が実施された携帯電話のハンズフリー装置の概略構成を示す。
図示例のハンズフリー装置は、携帯電話２を手に持たずにマイクロフォン２０とスピーカー４０とを介して通話相手と通話するための構成としてスピーカー付きアンプ装置１を有している。
このスピーカー付きのアンプ装置１は、携帯電話２の音声受信信号を増幅して通話相手の音声をスピーカー４０より出力させるという用途と、ディジタルオーディオプレーヤーやミニラジオのような小型で小出力のオーディオ機器３が出力するオーディオ信号を増幅してスピーカー４０より出力させるという用途とを備えており、図２および図３に示すように、箱形の本体ケース１０の片面にスピーカー４０と発光表示器６の発光素子６０が、本体ケース１０の一端面に２個の外部接続端子１１，１２が、それぞれ設けられている。
【００１４】
前記発光表示器６は、スピーカー４０が出力する音の変化の状態を発光の強弱で表示するためのもので、発光素子６０として高輝度ＬＥＤが用いてある。発光素子６０はスピーカー４０が出力する音の強弱に応じて強く発光したり弱く発光したりするもので、詳細は後述するが、たとえスピーカー４０の音量が短い周期で変化しても、その音量変化に追随して発光素子６０の発光の強さが変化する。一方の外部接続端子１１には、２本の接続ケーブル８，９を介して携帯電話２が（図２）、１本の接続ケーブル８を介してデジタルプレイヤーやミニラジオのようなオーディオ機器３が（図３）、それぞれ選択的に接続される。他方の外部接続端子１２はヘッドホーンを接続するためのものである。なお図中、１３は動作表示ランプである。
【００１５】
前記本体ケース１０の内部には、外部接続端子１１より取り込まれた携帯電話２の音声受信信号またはオーディオ機器３のオーディオ信号を増幅する増幅回路４１を含む信号処理回路４が組み込まれている。増幅回路４１による増幅出力は音に変換されてスピーカー４０より出力される。なお、図示していないが、本体ケース１０の他の片面には、電池４４（図４に示す。）が収容される蓋付きの電池ボックスが設けられている。
【００１６】
前記信号処理回路４は、外部接続端子１１より取り込まれた携帯電話２の音声受信信号の低周波成分をカットして低音を除去するための低周波除去回路４３と、外部接続端子１１に通話状態の携帯電話２が接続されているときは低周波除去回路４３を能動化し外部接続端子１１にオーディオ機器３が接続されているときは低周波除去回路４３を非能動化する制御回路４２とを含んでいる。
【００１７】
上記した構成のスピーカー付きアンプ装置１と音声入力のためのマイクロフォン２０とで携帯電話のハンズフリー装置が構成されるが、スピーカー付きアンプ装置１は、外部接続端子１１より携帯電話２の音声受信信号が取り込まれたときマイクロフォン２０の感度を下げる感度調整回路７をさらに備えている。
【００１８】
携帯電話２は、通話相手からの音声信号を受信する受信回路と通話相手へ音声信号を送信する送信回路とを内蔵し、適所にイヤホンとマイクロフォンの平型共用端子受口２３が設けられている。この平型共用端子受口２３により携帯電話２に内蔵されているスピーカやマイクロフォンを用いずに、外部のスピーカ４０やマイクロフォン２０を用いて音声の入出力ができるようになっている。なお、携帯電話２は通話相手からの呼び出しに対して自動着信する機能を有しており、このハンズフリー装置を用いるときは携帯電話２を自動着信の状態に設定しておくのが望ましい。
【００１９】
スピーカー付きアンプ装置１とオーディオ機器３とは、図３に示すように、第１の接続ケーブル８によって接続される。この接続ケーブル８としてステレオオーディオケーブルが用いてあり、その両端にはスピーカー付きアンプ装置１の外部接続端子１１とオーディオ機器３のオーディオ信号出力端子３０とに接続が可能な３極端子のプラグ８０，８０がそれぞれ装着されている。
【００２０】
スピーカー付きアンプ装置１と携帯電話２とは、図２に示すように、第１の接続ケーブル８と第２の接続ケーブル９とを介して接続される。第２の接続ケーブル９は、一端に携帯電話２の平型共用端子受口２３に接続することが可能な平型端子９０が装着され、他端にマイクロフォン２０、発着信スイッチ２１、およびソケット９２が組み込まれた操作部９１が装着されている。この操作部９１のソケット９２には第１の接続ケーブル８のプラグ８０が接続可能である。
【００２１】
前記発着信スイッチ２１は、着信時にこれを押すと、電源が入って動作表示ランプ１３が点灯し、通話が可能となる。なお、携帯電話２を自動着信の状態に設定しておけば、発着信スイッチ２１を押すことなく通話ができる。
また、携帯電話２が待機状態のときに発着信スイッチ２１を押すと、あらかじめ携帯電話２で設定した番号に電話を掛けることができる。
【００２２】
図４は、スピーカー付きアンプ装置１の構成と、このアンプ装置１が用いられた携帯電話のハンズフリー装置の構成とを示している。
図示例のハンズフリー装置は、スピーカー付きアンプ装置１と第１、第２の各接続ケーブル８，９とで構成されている。スピーカー付きアンプ装置１の外部接続端子１１に第１の接続ケーブル８の一方のプラグ８０を接続し、第１の接続ケーブル８の他方のプラグ８０を第２の接続ケーブル９のソケット９２に接続し、第２の接続ケーブル９の平型端子９０を携帯電話２の平型共用端子受口２３に接続する。なお、図中、１２はヘッドホーン２２を接続するための外部接続端子である。また、２０，２１は操作部９１に組み込まれているマイクロフォンと発着信スイッチである。
【００２３】
第１、第２の各接続ケーブル８，９は、１本のアースラインＥと２本が信号ラインＲ，Ｌとを有している。第１のケーブル８の両端に設けられた各プラグ８０は各ラインが繋がった電極部８１Ｅ，８１Ｒ，８１Ｌを有している。第１の接続ケーブル８の２本の信号ラインＲ，Ｌは、プラグ８０がオーディオ機器３に接続されるときは、オーディオ信号のステレオ出力回路に接続される。また、第２の接続ケーブル９を介して携帯電話２に接続されるときは、信号ラインＲが音声受信信号の受信回路に、信号ラインＬが音声送信信号の送信回路に、それぞれ接続される。マイクロフォン９１への音声入力で得られる音声送信信号は第２の接続ケーブル９の送信ラインＬを介して音声送信信号の送信回路に供給される。
【００２４】
スピーカー付きアンプ装置１は、第１の接続ケーブル８が接続される外部接続端子１１と、外部接続端子１１より取り込まれた携帯電話２の音声受信信号またはオーディオ機器３が出力するオーディオ信号を処理する信号処理回路４と、マイクロフォン２０の感度を調整する感度調整回路７と、スピーカー４０が出力する音の変化の状態を表示するスピーカー出力表示装置５とを備えている。
【００２５】
前記外部接続端子１１は３個の端子１１Ｅ，１１Ｒ，１１Ｌより成り、それぞれが第１の接続ケーブル８のプラグ８０に設けられた各電極部８１Ｅ，８１Ｒ，８１Ｌと接続される。携帯電話２での音声受信信号やオーディオ機器３が出力するオーディオ信号は端子１１Ｒより取り込まれる。
【００２６】
前記信号処理回路４は、図４および図５に示すように、携帯電話２の音声受信信号またはオーディオ機器３が出力するオーディオ信号を増幅する増幅回路４１と、携帯電話２の音声受信信号の低周波成分をカットして低音を除去するための低周波除去回路４３と、外部接続端子１１に通話可能な状態の携帯電話２が接続されているとき低周波除去回路４３を能動化しオーディオ機器３が接続されているとき低周波除去回路４３を非能動化する制御回路４２とを含んでいる。
【００２７】
低周波除去回路４３は、２個のコンデンサＣ１，Ｃ２と１個の抵抗Ｒ１とで構成されている。コンデンサＣ１と抵抗Ｒ１とは直列接続されて分圧回路を構成する。周波数が低いときは、コンデンサＣ１のインピーダンスが大きくなって出力電圧が低くなり、一方、周波数が高いときは、コンデンサＣ１のインピーダンスが小さくなって出力電圧が高くなるもので、このようにして２０〜３００ヘルツの周波数帯がカットされ、エコー現象やハウリング音の発生が抑えられる。
【００２８】
前記制御回路４２は、オン、オフスイッチを構成する１個のトランジスタＴＲ１と、このトランジスタＴＲ１のベースに接続された抵抗Ｒ１とから成るもので、トランジスタＴＲ１のベースには抵抗Ｒ２を介して端子１１Ｒに取り出された電圧が作用する。
外部接続端子１１に第１、第２の各接続ケーブル８，９を介して通話可能な状態の携帯電話２が接続されているとき、携帯電話２における音声送信信号の送信回路は信号送信が可能な電圧レベルに設定されているので、その電圧レベルが端子１１Ｌを介してトランジスタＴＲ１のベースにかかり、トランジスタＴＲ１はオン動作する。これにより抵抗Ｒ１が生かされ、低周波除去回路４３が能動化されて低周波成分が除去される。
【００２９】
外部接続端子１１に第１の接続ケーブル８を介してオーディオ機器３が接続されている場合は、オーディオ機器３が出力するオーディオ信号は信号の電圧レベルが低いので、トランジスタＴＲ１はオン動作せず、オフ状態にある。これにより抵抗Ｒ１は生かされず、低周波除去回路４３は非能動化され、低周波成分は除去されない。
【００３０】
低周波除去回路４３が能動化されたときは、低周波成分が除かれかつ会話に必要な音域を有する信号ｂが、また、低周波除去回路４３が能動化されていないときは、低周波成分が除かれていない信号ｂが、それぞれ低周波除去回路４３から増幅回路４１へ送られる。増幅回路４１は前記の信号ｂを増幅し、その増幅信号ｃをスピーカ５へ出力する。また、増幅信号ｃは全波整流回路５０に取り込まれて全波整流される。全波整流回路５０で得られた脈流の直流電圧ｖは抵抗Ｒ３を介して感度調整回路７および発光表示器６に与えられる。
【００３１】
前記感度調整回路７は、マイクロフォン２０への音声入力によって得られる音声送信信号ｄの携帯電話２への供給を制限するための信号制限部７０と、前記増幅回路４１が増幅信号ｃを出力するとき前記信号制限部７０を作動状態に設定し、前記増幅信号ｃを出力しないとき信号制限部７０は非作動状態に設定する制御部７１とで構成されている。
【００３２】
信号制限部７０は、フォトカプラ７２と抵抗Ｒ４との直列回路により構成されており、マイクロフォン２０に対して並列になっている。制御部７１に増幅回路４１より増幅信号ｃが送られてきたとき、フォトカプラ７２と抵抗Ｒ４との直列回路のインピーダンスが小さくなってマイクロフォン２０の感度が下がる。一方、制御部７１に増幅回路４１より増幅信号ｃが送られてこないとき、フォトカプラ７２と抵抗Ｒ４との直列回路のインピーダンスが大きくなってマイクロフォン２０の感度が上がる。
【００３３】
前記制御部７１は、前記全波整流回路５０で得られた脈流の直流電圧ｖを電流制限用の抵抗Ｒ３を介してフォトカプラ７２へ与えるための回路であり、前記増幅回路４１が増幅信号ｃを出力するとき、その増幅信号ｃを全波整流回路５０で全波整流して得られた直流電圧ｖが制御駆動回路７１によりフォトカプラ７２へ与えられると、フォトカプラ７２がオン動作する。これによりフォトカプラ７２と抵抗Ｒ４との直列回路のインピーダンスが小さくなって導通短絡状態になり、マイクロフォン２０への音声入力により得られた音声送信信号の携帯電話２への供給が制限される。
【００３４】
増幅回路４１が増幅信号ｃを出力しないとき、フォトカプラ７２はオン動作せずオフ状態となる。これによりフォトカプラ７２と抵抗Ｒ４との直列回路のインピーダンスが大きくなって開放状態になり、マイクロフォン２０への音声入力により得られた音声送信信号は携帯電話２の送信回路へ供給される。なお、増幅回路４１には電池４４によって常時電圧が印加されている。
【００３５】
前記発光表示器６は全波整流回路５０とともにスピーカー出力表示装置５を構成するもので、高輝度ＬＥＤより成る発光素子６０と抵抗Ｒ７とが直列接続された発光表示回路６３と、ベースに制御信号ｉを入力して発光表示回路６３の動作を制御し発光素子６０をオン、オフしたり発光の強さを制御したりする駆動トランジスタＴＲ２と、充電のためのコンデンサＣ３と放電のための抵抗Ｒ５との並列回路を含み全波整流回路５０で得られる脈流の直流電圧ｖをコンデンサＣ３に与えて充電と抵抗Ｒ５による放電とを繰り返す充放電回路６１と、充放電回路６１に接続されコンデンサＣ３の残留電荷の大きさに応じた制御信号ｉを生成して駆動トランジスタＴＲ２のベースへ入力する信号入力回路６２とを含んでいる。発光表示回路６３は駆動トランジスタＴＲ２のコレクタ側に発光素子６０と抵抗Ｒ７とを直列に接続して形成されており、発光表示回路６３に前記電池４４を接続して発光素子６０を駆動するための直流電圧Ｖ０を供給している。
【００３６】
前記充放電回路６１は、全波整流回路５０で得られる直流電圧ｖの信号レベルが所定の値を超えるときに残留電荷が生じるようにコンデンサＣの静電容量や抵抗Ｒの値が設定される。例えば、抵抗Ｒ５を大きな値に設定すると、抵抗Ｒ５に放電電流が流れにくくなるため、全波整流回路５０で得られ脈流の直流電圧ｖの信号レベルが小さくても、コンデンサＣ３に残留電荷が生じ、制御信号ｉが生成されて発光素子６０が点灯する。一方、抵抗Ｒ５を小さな値に設定すると、抵抗Ｒ５に放電電流が流れ易いため、全波整流回路５０で得られる直流電圧ｖの信号レベルがある程度大きくならないと、コンデンサＣ３に残留電荷が生じず、発光素子６０は点灯しない。なお、抵抗Ｒ５の値を自由に設定可能とするために抵抗Ｒ５に可変抵抗器を用いるとよい。
【００３７】
上記した構成のスピーカー付きアンプ装置１の外部接続端子１１と携帯電話２の平型共用端子受口２３とが第１、第２の接続ケーブル８，９を介して接続されているとき、外部接続端子１１より携帯電話２での音声受信信号が信号処理回路４に取り込まれて増幅回路４１で増幅され、その増幅信号ｃ（図６（１）に示す。）はスピーカ４０で音声に変換されて出力されるので、通話相手の音声をスピーカー４０で聞き取ることができる。
【００３８】
携帯電話２が通話可能な状態にあるとき、制御回路４３におけるトランジスタＴＲ１がオン動作して低周波除去回路４３が能動化されるので、低周波除去回路４３で携帯電話２の音声受信信号に含まれる低周波成分がカットされて低音が除去される。これによりエコー現象の発生が抑制される。
【００３９】
外部接続端子１１に第１の接続ケーブル８によってオーディオ機器３が接続されているとき、制御回路４３におけるトランジスタＴＲ１はオフ状態であって低周波除去回路４３は非能動化されるので、オーディオ機器３が出力するオーディオ信号に含まれる低周波成分はカットされず、低音除去による音の変質や音質の低下を招くことがない。
【００４０】
スピーカー４０に入力される増幅回路４１の増幅信号ｃは全波整流回路５０により取り出されて全波整流される。その全波整流回路５０で得られた脈流の直流出力ｖ（図６（２）に示す。）は充放電回路６１のコンデンサＣ３に与えられると、コンデンサＣ３が充電されるとともに、充電によりコンデンサＣ３に蓄えられた電荷が抵抗Ｒ５を流れて放電される。スピーカー４０に入力される増幅信号ｃの信号レベルが小さいとき、すなわち、音量が小さいときは、全波整流回路５０で得られる直流電圧ｖは信号レベルが所定の値Ｈ以下となるため（図６（２）においてＡで示す。）、充放電回路６１での放電が十分に行われる。その結果、コンデンサＣ３の残留電荷はゼロとなって制御信号ｉはゼロであり（図６（３）においてＡ′で示す。）、駆動トランジスタＴＲ２はオンせず、発光素子６０は発光しない。
【００４１】
スピーカー４０に入力される増幅信号ｃの信号レベルが大きくなって音量が増すと、全波整流回路５０で得られる直流電圧ｖの信号レベルが所定の値Ｈを超えるため（図６（２）においてＢで示す。）、充放電回路６１での放電が不十分となってコンデンサＣ３に残留電荷が生じ、コンデンサＣ３の残留電荷の大きさに応じた制御信号ｉが生成される（図６（３）においてＢ′で示す）。これにより駆動トランジスタＴＲ２がオンし、制御信号ｉの大きさに応じた強さで発光素子６０が発光し、音量の変化に追随する。
【図面の簡単な説明】
【００４２】
【図１】この発明が実施された携帯電話のハンズフリー装置の概略構成を示すブロック図である。
【図２】スピーカー付きアンプ装置と携帯電話との接続状態を示す説明図である。
【図３】スピーカー付きアンプ装置とオーディオ機器との接続状態を示す説明図である。
【図４】スピーカー付きアンプ装置の構成と携帯電話のハンズフリー装置の構成とを示す電気回路図である。
【図５】スピーカー出力表示装置の構成を示す電気回路図である。
【図６】スピーカー出力表示装置の回路各部の信号波形を示す説明図である。
【図７】従来のスピーカー出力表示装置の構成を示す電気回路図である。
【符号の説明】
【００４３】
２    携帯電話
３    オーディオ機器
５    スピーカー出力表示装置
６    発光表示器
４０  スピーカー
４１  増幅回路
５０  全波整流回路
６０  発光素子
６１  充放電回路
６２  信号入力回路
ＴＲ２  駆動トランジスタ
Ｃ３  コンデンサ
Ｒ５  抵抗
【図１】
2009100045.tif 000003
【図２】
2009100045.tif 000004
【図３】
2009100045.tif 000005
【図４】
2009100045.tif 000006
【図５】
2009100045.tif 000007
【図６】
2009100045.tif 000008
【図７】
2009100045.tif 000009